(57)【要約】      （修正有）【課題】薬の飲み忘れ、重複服用、又は薬の取り違い等の誤服用を防止できる薬箱を提供する。【解決手段】処方薬を一包化した袋部３５が、処方薬の服用時期順に連続的に配列されて袋帯１２を形成し、該袋帯１２がロール状に収納された薬箱１１であって、該薬箱１１は、厚紙材で形成されると共に、袋帯１２を入れる開口部と、該開口部を施蓋する蓋部２０と、袋帯１２の取出し口３２とを備える。このような薬箱１１は、取出し口３２から垂下する袋帯１２の袋部３５を、所定の服用時期毎に端から順に分離して、袋部３５の中の薬を服用することによって、薬の飲み忘れや重複服用等を防止できる。【選択図】図１
0003154211.tif 000002
【実用新案登録請求の範囲】
【請求項１】
処方薬を一包化した袋部が、前記処方薬の服用時期順に連続的に配列されて袋帯を形成し、該袋帯がロール状又は重畳状に収納された薬箱であって、
該薬箱は、厚紙材で形成されると共に、前記袋帯を入れる開口部と、該開口部を施蓋する蓋部と、前記袋帯の取出し口とを少なくとも備えること
を特徴とする薬箱。
【請求項２】
前記取出し口に、前記袋帯を垂下した状態で位置させ、
該垂下した袋帯に当接する状態で、前記袋部を分離するための透明な板部材を配設したこと
を特徴とする請求項１に記載の薬箱。
【請求項３】
前記ロール状に収納された袋帯の中央部には、芯材を有すること
を特徴とする請求項１に記載の薬箱。
【請求項４】
前記袋部は、患者氏名、服用時期、薬剤の名称等の情報が表示されること
を特徴とする請求項１に記載の薬箱。
【考案の詳細な説明】
【技術分野】
【０００１】
本考案は、薬箱に関するものであり、更に詳しくは、処方薬を一包化してパックした袋部を、取出し容易に収納した薬箱に関するものである。
【背景技術】
【０００２】
従来、薬局等で調剤される処方薬は、薬袋に収納されて患者に渡される。この薬袋としては、薬剤の写真と名称、薬剤の服用時期、及び服用個数等が薬袋の表側に表示された構成のものが知られており、この表示によって薬剤の誤飲を防止している（特許文献１参照）。
【０００３】
一方、従来の薬箱に関しては、図５に示す構成のものが知られている。この薬の整理箱１は、本体部２と、この本体部２の後部に後板部３を介して開閉自在に設けられる蓋体４とを備えている。また、後板部３には、円形の係止具５が設けられており、この係止具５が整理袋６を係止している（特許文献２参照）。
【０００４】
整理袋６は４箇所の小袋に区分されており、それぞれの小袋には薬を出し入れするための切込み部７、７…が形成されると共に、先端の小袋から順番に「朝」６ａ、「昼」６ｂ、「夜」６ｃ、「寝る前」６ｄの各表示が成されている。
【０００５】
薬を服用する者は、「朝」６ａ、「昼」６ｂ、「夜」６ｃ、「寝る前」６ｄの各表示にしたがって、それぞれの切込み部７から薬を予め収納しておき、この順番通りに薬を服用することで、薬の飲み忘れや重複服用を防止するのである。
【先行技術文献】
【特許文献】
【０００６】
【特許文献１】特開２００７−３１９４７９号公報
【特許文献２】特開２００３−１９９８０６号公報
【考案の概要】
【考案が解決しようとする課題】
【０００７】
従来例の薬袋においては、数種類の薬が多数収納されることも多く、その場合は、たとえ薬剤の写真や服用時期等が薬袋に表示されていても、高齢者や気力の低下した患者にとって、常に正しく薬を服用することは難しいという欠点がある。
【０００８】
特に、高齢者の介護施設等で、介護者が多数の老人に対して色々な薬を服用させる場合は、各自の薬袋からそれぞれの薬を取り出して、皆に正確に薬を服用させることは非常に困難な作業である。
【０００９】
また家庭において、従来例の薬の整理箱１を使用して、整理袋６に「朝」６ａ、「昼」６ｂ、「夜」６ｃ、「寝る前」６ｄの各表示にしたがって薬をセットする作業は極めて煩雑であり、更には、高齢者の介護施設等で多数の老人に対して薬の整理箱１を使用するのは、煩雑すぎて実質的に困難である。
【００１０】
従って、従来例における場合においては、所定時期に所定個数の薬を正確に服用できるようにすることと、特に高齢者の介護施設等において、介護者が多数の老人に対して色々な薬を正確に服用させられるようにして、薬の飲み忘れ、取り違い及び重複服用を防止することに解決しなければならない課題を有している。
【課題を解決するための手段】
【００１１】
前記従来例の課題を解決するための本考案の要旨は、処方薬を一包化した袋部が、前記処方薬の服用時期順に連続的に配列されて袋帯を形成し、該袋帯がロール状又は重畳状に収納された薬箱であって、該薬箱は、厚紙材で形成されると共に、前記袋帯を入れる開口部と、該開口部を施蓋する蓋部と、前記袋帯の取出し口とを少なくとも備えることである。
【００１２】
また、前記取出し口に、前記袋帯を垂下した状態で位置させ、該垂下した袋帯に当接する状態で、前記袋部を分離するための透明な板部材を配設したこと、；
前記ロール状に収納された袋帯の中央部には、芯材を有すること、；
前記袋部は、患者氏名、服用時期、薬剤の名称等の情報が表示されること、；
を含むものである。
【考案の効果】
【００１３】
本考案に係る薬箱によれば、取出し口から垂下する袋帯の袋部を、所定の服用時期毎に端から順に分離して、袋部の中の薬を服用することによって、薬の飲み忘れや重複服用を防止できる。
袋部の中の薬は一包化されており、同じ時期に服用する薬がまとまっているので、数種類の薬を服用する場合でも正確に服用できる。
特に、高齢者の介護施設等では、介護者が多数の老人に対して薬を正確に服用させることができて、薬の取り違いや飲み忘れを防止できるという種々な優れた効果を奏する。
【００１４】
また、取出し口に、袋帯を垂下した状態で位置させ、該垂下した袋帯に当接する状態で、袋部を分離するための透明な板部材を配設したことによって、袋部の分離が容易に行えるだけでなく、透明な板部材を介して、服用する袋部の情報を容易に確認することができるという種々の優れた効果を奏する。
【００１５】
そして、ロール状に収納された袋帯の中央部には、芯材を有することによって、ロール状の袋帯が詰まらずに滑らかに回転できるので、袋帯を取り出すときにスムーズに引き出せるという優れた効果を奏する。
【００１６】
更に、袋部は、患者氏名、服用時期、薬剤の名称等の情報が表示されることによって、取出し口に透明な板部材を配設したことと相俟って、この板部材の外側から袋部の情報を容易に確認できるので、薬の取り違い、飲み忘れ、重複服用等の誤りを防止できるという優れた効果を奏する。
【図面の簡単な説明】
【００１７】
【図１】本考案に係る薬箱１１の斜視図である。
【図２】本考案に係る薬箱１１の蓋部２０を開いた状態の斜視図である。
【図３】本考案に係る薬箱１１の一部を破断して内部を示した状態の側面図である。
【図４】袋帯１２の一部を示す平面図である。
【図５】従来例に係る薬の整理箱１の斜視図である。
【考案を実施するための形態】
【００１８】
次に、本発明の実施の形態について図面を参照しながら説明する。まず、図１から図３において、符号１１は薬箱を示し、この薬箱１１は、直方体状の箱形に形成されて、内部に所定長さの袋帯１２がロール状に巻回されて収納されている。
【００１９】
薬箱１１は、厚紙材で形成され、底面板１３と、正面板１４と、背面板１５と、対向する一対の側面板１６、１７とを有し、上部に開口部１８が形成されている。
【００２０】
一方の側面板１６の上端には、折り目１９を介して蓋部２０が開閉自在に設けられており、この蓋部２０の先端には、折り目２１を介して折込片２２が設けられている。蓋部２０が開口部１８を施蓋して、折込片２２が他方の側面板１７の内側に差し込まれる。折り目２１の中央部位は、所定幅の切れ目２３が形成されており、この切れ目２３の中央位置には、半円形状の切欠部３０が形成されている。
【００２１】
蓋部２０の上部には、患者氏名、用法及び用量、調剤年月日、調剤した薬剤師の氏名、調剤した薬局及び所在地等が表示された紙片３１が貼着されている。これらの表示は、薬剤師法第２５条、又は薬剤師法施行規則第１４条の規定に準拠したものである。なお、この紙片３１を貼着する位置は、必ずしも蓋部２０の上部に限定されるものではなく、側面板１６、１７や背面板１５等の適宜の位置でもよいことは勿論である。
【００２２】
他方の側面板１７の上端には、所定の間隔を開けて２本の切り込み２４、２４が形成されており、当該切り込み２４、２４の間には、折り目２７を介して側面部２８を有し、側面部２８の上端には、折り目２５を介して差込片２９が設けられている。蓋部２０の施蓋時に、差込片２９を切れ目２３に差し込んで、施蓋状態を安定させる。
【００２３】
正面板１４と、背面板１５との上端には、それぞれフラップ２６、２６が設けられており、蓋部２０の施蓋時にその両端部２０ａ、２０ａの沈み込みを防止している。
【００２４】
正面板１４の上部寄りの位置には、長孔状の取出し口３２が形成されており、この取出し口３２から袋帯１２が垂下した状態で位置する。
【００２５】
また、正面板１４には、上記の垂下した袋帯１２に当接する状態で、所定幅及び所定長さの透明な板部材３３が配設されている。即ち、板部材３３の上部がＬ字状に折曲して折曲部３４が形成され、この折曲部３４が一方のフラップ２６の基部側に貼着されることで、板部材３３が正面板１４に配設される。なお、板部材３３は、プラスチック等の合成樹脂板が望ましく、また、下端部３３ａにノコギリ歯状のギザギザを設けてもよい。
【００２６】
この板部材３３は、袋帯１２の袋部３５を分離するための切断刃の役目を果たし、板部材３３の下端部３３ａに、袋部３５の切れ目３６を宛がって、さらに袋部３５を引き上げることで袋部３５が分離できる。
【００２７】
次に、袋帯１２について説明する。袋帯１２は、処方薬を一包化した袋部３５が、処方薬の服用時期順に連続的に配列されて形成される。一包化は、同じ時期に服用する薬を全て一つの袋部にまとめてパックすることであり、数種類の薬を服用する場合でも正確に服用できる。また、袋部３５と袋部３５との間には切れ目３６が形成されており、分離が容易である。
【００２８】
袋帯１２における袋部３５の配列状態を具体的に示すと、例えば図４に示すように、端部の袋部Ａは「７月１日の朝食後」用であり、これに連結される袋部Ｂは「７月１日の昼食後」用であり、これに連結される袋部Ｃは「７月１日の夕食後」用であり、これに連結される袋部Ｄは「７月２日の朝食後」用と順次連続した状態が続く。これらの袋部３５は７月１日の朝食後（袋部Ａ）、昼食後（袋部Ｂ）、夕食後（袋部Ｃ）、翌日２日の朝食後（袋部Ｄ）…と順番に薬を服用することによって、飲み忘れや重複服用を防止できるのである。
【００２９】
袋部３５には、患者氏名、服用時期、薬剤の名称等の情報の表示３７が成されている。従って、取出し口３２に透明な板部材３３を配設したことと相俟って、服用者や服用日等の情報を容易に確認できるので、薬の取り違い、飲み忘れ、重複服用を防止できる。
【００３０】
このような構成の袋帯１２は、図３に示すように、ロール状に巻回されて薬箱１１の内部に収納されている。また、袋帯１２の中央部には、芯材３８が配設されている。この芯材３８の存在によって、袋帯１２が詰まらずに滑らかに回転できるので、袋帯１２を取り出すときにスムーズに引き出せる。
なお、袋帯１２の収納状態は、ロール状に巻回された形状に限定されることはなく、左右に幾重にも折り畳んだ形状等、重畳状に形成して収納してもよい。
【００３１】
以上のような構成の薬箱１１は、取出し口３２から垂下する袋帯１２の袋部３５を、所定の服用時期毎に端から順に分離して、袋部３５の中の薬を服用することによって、薬の飲み忘れや重複服用を防止できる。袋部３５の中の薬は一包化されており、同じ時期に服用する薬がまとまっているので、数種類の薬を服用する場合でも正確に服用できる。
【００３２】
袋帯１２は取出し口３２から順次引き出すと、次回分の袋部３５が現れる。板部材３３は透明であり、その外側から次回分の袋部３５が視認できる。袋部３５には患者氏名や服用時期等の情報が表示３７されているので、薬の取り違い、飲み忘れ、重複服用防止できる。特に高齢者の介護施設等では、介護者が多数の老人に対して薬を正確に服用させることができることとなり、薬の取り違いや飲み忘れを防止できる。
【産業上の利用可能性】
【００３３】
本発明の薬箱１１は、一般の家庭はもとより、老人ホーム等の介護施設、障害者施設、医療施設、病院等で広く使用されることが望ましく、特に多数の服用者に対して種々の薬を所定時期に服用させる必要がある施設等において有用である。
【００３４】
また、薬箱１１は、患者氏名が表示された紙片３１を貼着するので、薬剤師法第２５条又は薬剤師法施行規則第１４条の規定を準拠しており、従来、薬局等で使用される薬袋に替わって薬箱１１を用いることで、一般家庭や施設等々での利便性が大いに向上する。
【符号の説明】
【００３５】
１    薬の整理箱
２    本体部
３    後板部
４    蓋体
５    係止具
６    整理袋
６ａ  「朝」の表示
６ｂ  「昼」の表示
６ｃ  「夜」の表紙
６ｄ  「寝る前」の表示
７    切込み部
１１  薬箱
１２  袋帯
１３  底面板
１４  正面板
１５  背面板
１６、１７  側面板
１８  開口部
１９  折り目
２０  蓋部
２０ａ端部
２１  折り目
２２  折込片
２３  切れ目
２４  切り込み
２５  折り目
２６  フラップ
２７  折り目
２８  側面部
２９  差込片
３０  切欠部
３１  紙片
３２  取出し口
３３  板部材
３３ａ下端部
３４  折曲部
３５  袋部
３６  切れ目
３７  表示
３８  芯材
【図１】
0003154211.tif 000003
【図２】
0003154211.tif 000004
【図３】
0003154211.tif 000005
【図４】
0003154211.tif 000006
【図５】
0003154211.tif 000007